(57)【要約】【課題】より簡単にコストパフォーマンスの良い画像形成手段を選択可能にする画像形成装置及び印刷支援方法並びに印刷支援プログラムの提供。【解決手段】  印刷対象となる画像データを画像形成手段に依存する印刷画像データに変換して印刷を行う画像形成装置を含む印刷システムにおける印刷支援方法であって、第１の変換テーブルを参照して、前記画像データを画像形成手段に依存しない色空間の第１のデータに変換する第１のステップと、第２の変換テーブルを参照して、前記印刷画像データを前記色空間の第２のデータに変換する第２のステップと、前記第１のデータと前記第２のデータとの差分で規定される色差を算出する第３のステップと、前記印刷システムを構成する何れかの装置の表示部に、算出した前記色差を表示する第４のステップと、を少なくとも有する。【選択図】図５
2010137467.tif 000002
【特許請求の範囲】
【請求項１】
印刷対象となる画像データを画像形成手段に依存する印刷画像データに変換して印刷を行う画像形成装置において、
第１の変換テーブルを参照して、前記画像データを画像形成手段に依存しない色空間の第１のデータに変換し、第２の変換テーブルを参照して、前記印刷画像データを前記色空間の第２のデータに変換し、前記第１のデータと前記第２のデータとの差分で規定される色差を算出し、算出した色差を表示部に表示させる制御部を備えることを特徴とする画像形成装置。
【請求項２】
前記制御部は、第１の画面で、前記画像データに基づく画像を、その各部の前記色差に対応する図柄で表示することを特徴とする請求項１に記載の画像形成装置。
【請求項３】
前記制御部は、前記第１の画面から遷移する第２の画面で、前記画像データに基づく画像の各部の前記色差を、数値で表示することを特徴とする請求項１又は２に記載の画像形成装置。
【請求項４】
前記制御部は、前記第１の画面から遷移する第３の画面で、前記画像データに基づく画像の各部の前記色差を、前記画像形成手段の色再現域と比較可能に表示することを特徴とする請求項１乃至３のいずれか一に記載の画像形成装置。
【請求項５】
前記画像形成装置に、色再現域の異なる複数種類のトナー群が搭載されている場合、
前記制御部は、各々の前記トナー群に依存する前記印刷画像データを前記色空間の第２のデータに変換し、前記トナー群毎の前記色差を対比可能に表示することを特徴とする請求項１乃至４のいずれか一に記載の画像形成装置。
【請求項６】
前記画像形成装置に、通信ネットワークを介して他の画像形成装置が接続されている場合、
前記制御部は、前記他の画像形成装置から前記色空間の第２のデータを取得、若しくは、前記他の画像形成装置から印刷画像データを取得して前記色空間の第２のデータに変換し、前記画像形成装置毎の前記色差を対比可能に表示することを特徴とする請求項１乃至４のいずれか一に記載の画像形成装置。
【請求項７】
印刷対象となる画像データを画像形成手段に依存する印刷画像データに変換して印刷を行う画像形成装置を含む印刷システムにおける印刷支援方法であって、
第１の変換テーブルを参照して、前記画像データを画像形成手段に依存しない色空間の第１のデータに変換する第１のステップと、
第２の変換テーブルを参照して、前記印刷画像データを前記色空間の第２のデータに変換する第２のステップと、
前記第１のデータと前記第２のデータとの差分で規定される色差を算出する第３のステップと、
前記印刷システムを構成する何れかの装置の表示部に、算出した前記色差を表示する第４のステップと、を少なくとも有することを特徴とする印刷支援方法。
【請求項８】
前記第４のステップでは、第１の画面で、前記画像データに基づく画像を、その各部の前記色差に対応する図柄で表示することを特徴とする請求項７に記載の印刷支援方法。
【請求項９】
前記第４のステップでは、前記第１の画面から遷移する第２の画面で、前記画像データに基づく画像の各部の前記色差を、数値で表示することを特徴とする請求項７又は８に記載の印刷支援方法。
【請求項１０】
前記第４のステップでは、前記第１の画面から遷移する第３の画面で、前記画像データに基づく画像の各部の前記色差を、前記画像形成手段の色再現域と比較可能に表示することを特徴とする請求項７乃至９のいずれか一に記載の印刷支援方法。
【請求項１１】
前記画像形成装置に、色再現域の異なる複数種類のトナー群が搭載されている場合、
前記第２のステップでは、各々の前記トナー群に依存する前記印刷画像データを前記色空間の第２のデータに変換し、
前記第３のステップでは、前記第１のデータと前記トナー群毎の前記第２のデータとの色差を算出し、
前記第４のステップでは、前記トナー群毎の前記色差を対比可能に表示することを特徴とする請求項７乃至１０のいずれか一に記載の印刷支援方法。
【請求項１２】
通信ネットワークに複数台の画像形成装置が接続されている場合、
前記第２のステップでは、各々の前記画像形成装置に依存する前記印刷画像データを前記色空間の第２のデータに変換し、
前記第３のステップでは、前記第１のデータと前記画像形成装置毎の前記第２のデータとの色差を算出し、
前記第４のステップでは、前記画像形成装置毎の前記色差を対比可能に表示することを特徴とする請求項７乃至１０のいずれか一に記載の印刷支援方法。
【請求項１３】
印刷対象となる画像データを画像形成手段に依存する印刷画像データに変換して印刷を行う画像形成装置を含む印刷システムで動作する印刷支援プログラムであって、
コンピュータを、
第１の変換テーブルを参照して、前記画像データを画像形成手段に依存しない色空間の第１のデータに変換し、第２の変換テーブルを参照して、前記印刷画像データを前記色空間の第２のデータに変換し、前記第１のデータと前記第２のデータとの差分で規定される色差を算出し、前記印刷システムを構成する何れかの装置の表示部に、算出した前記色差を表示させる制御部、として機能させることを特徴とする印刷支援プログラム。
【請求項１４】
前記制御部は、第１の画面で、前記画像データに基づく画像を、その各部の前記色差に対応する図柄で表示することを特徴とする請求項１３に記載の印刷支援プログラム。
【請求項１５】
前記制御部は、前記第１の画面から遷移する第２の画面で、前記画像データに基づく画像の各部の前記色差を、数値で表示することを特徴とする請求項１３又は１４に記載の印刷支援プログラム。
【請求項１６】
前記制御部は、前記第１の画面から遷移する第３の画面で、前記画像データに基づく画像の各部の前記色差を、前記画像形成手段の色再現域と比較可能に表示することを特徴とする請求項１３乃至１５のいずれか一に記載の印刷支援プログラム。
【請求項１７】
前記画像形成装置に、色再現域の異なる複数種類のトナー群が搭載されている場合、
前記制御部は、各々の前記トナー群に依存する前記印刷画像データを前記色空間の第２のデータに変換し、前記トナー群毎の前記色差を対比可能に表示することを特徴とする請求項１３乃至１６のいずれか一に記載の印刷支援プログラム。
【請求項１８】
通信ネットワークに複数台の画像形成装置が接続されている場合、
前記制御部は、各々の画像形成装置に依存する前記印刷画像データを前記色空間の第２のデータに変換し、前記画像形成装置毎の前記色差を対比可能に表示することを特徴とする請求項１３乃至１６のいずれか一に記載の印刷支援プログラム。
【発明の詳細な説明】
【技術分野】
【０００１】
本発明は、画像形成装置及び画像形成装置を含む印刷システムにおける印刷支援方法並びに印刷支援プログラムに関する。
【背景技術】
【０００２】
プリンタやデジタル複合機などの印刷装置（以下、画像形成装置と呼ぶ。）が普及している。この画像形成装置では、コンピュータ端末から送信される印刷ジョブに基づいて画像を形成し、帯電された感光体に画像に応じた光を照射して静電潜像を形成し、帯電したトナーを付着させて現像し、そのトナー像を転写ローラや転写ベルトなどの中間転写体を介して用紙に転写する処理を行う。
【０００３】
ここで、画像形成装置に使用されるトナーなどの部材には各々、色の特性があり、再現しやすい色もあれば再現しにくい色もある。そこで、画像形成に際して、これらの部材の色の特性を考慮して、元の画像の色をできるだけ忠実に再現できるように所定の画像処理を行っている。
【０００４】
例えば、下記特許文献１には、対象となる画像の特性を自動認識し、その画像特性に応じて最適な色再現処理（カラーマッチング）方式に切り替える色再現処理切替装置が開示されている。また、下記特許文献２には、視覚限界領域に収まるように画像を彩度強調する画像処理装置が開示されている。また、下記特許文献３には、画像の彩度強調処理結果（色つぶれの有無等）を即座に認識可能にし、彩度強調レベルを適切に変更させる画像処理装置が開示されている。
【０００５】
【特許文献１】特開２００２−１８２６３４号公報
【特許文献２】特開２００４−９６４４４号公報
【特許文献３】特開２００５−２７１６１号公報
【発明の開示】
【発明が解決しようとする課題】
【０００６】
上記画像処置により、元の画像に近い色を再現することは可能であるが、CMY又はCMYKの各トナーで構成されるトナー群には、再現可能な色の範囲（色再現域と呼ぶ。）があり、元の画像の中に色再現域外の色が含まれる場合は、色再現域外の色を色再現域内の色に変換して画像形成を行うことになるため、元の画像の色を忠実に再現できない場合が生じる。
【０００７】
このような背景から、近年、従来使用されてきたトナー群（以下、通常トナーと呼ぶ。）よりも彩度の高い鮮やかな色が再現できるトナー群（以下、Vividトナーと呼ぶ。）が開発されており、このVividトナーを搭載した画像形成装置を利用することにより、通常トナーの色再現域外の色をより忠実に再現することが可能である。
【０００８】
しかしながら、Vividトナーは通常トナーよりも高価なため、元の画像が双方のトナーで再現可能な色（双方のトナーの色再現域内の色）のみで構成されている場合に、Vividトナーを使用して印刷を行うと、印刷コストが上昇してしまう。また、Vividトナーで印刷すると鮮やかな色となるため、例えば、彩度の低い深みのある色などを再現したい場合には、通常トナーを使用した方が再現性がよくなる場合もある。
【０００９】
従って、印刷コストを抑え、かつ、色再現性を高めるためには、個々の画像特性や画像形成装置の色再現域を考慮して適切な画像形成手段を選択する必要があるが、そのためには専門知識が必要であり、一般の使用者がコストパフォーマンスの良い画像形成手段を選択することは難しいという問題があった。
【００１０】
本発明は、上記問題点に鑑みてなされたものであって、その主たる目的は、より簡単にコストパフォーマンスの良い画像形成手段を選択可能にする画像形成装置及び印刷支援方法並びに印刷支援プログラムを提供することにある。
【課題を解決するための手段】
【００１１】
上記目的を達成するため、本発明は、印刷対象となる画像データを画像形成手段に依存する印刷画像データに変換して印刷を行う画像形成装置において、第１の変換テーブルを参照して、前記画像データを画像形成手段に依存しない色空間の第１のデータに変換し、第２の変換テーブルを参照して、前記印刷画像データを前記色空間の第２のデータに変換し、前記第１のデータと前記第２のデータとの差分で規定される色差を算出し、算出した色差を表示部に表示させる制御部を備えるものである。
【００１２】
また、本発明は、印刷対象となる画像データを画像形成手段に依存する印刷画像データに変換して印刷を行う画像形成装置を含む印刷システムにおける印刷支援方法であって、第１の変換テーブルを参照して、前記画像データを画像形成手段に依存しない色空間の第１のデータに変換する第１のステップと、第２の変換テーブルを参照して、前記印刷画像データを前記色空間の第２のデータに変換する第２のステップと、前記第１のデータと前記第２のデータとの差分で規定される色差を算出する第３のステップと、前記印刷システムを構成する何れかの装置の表示部に、算出した前記色差を表示する第４のステップと、を少なくとも有するものである。
【００１３】
また、本発明は、印刷対象となる画像データを画像形成手段に依存する印刷画像データに変換して印刷を行う画像形成装置を含む印刷システムで動作する印刷支援プログラムであって、コンピュータを、第１の変換テーブルを参照して、前記画像データを画像形成手段に依存しない色空間の第１のデータに変換し、第２の変換テーブルを参照して、前記印刷画像データを前記色空間の第２のデータに変換し、前記第１のデータと前記第２のデータとの差分で規定される色差を算出し、前記印刷システムを構成する何れかの装置の表示部に、算出した前記色差を表示させる制御部、として機能させるものである。
【発明の効果】
【００１４】
本発明の画像形成装置及び印刷支援方法並びに印刷支援プログラムによれば、個々の画像データについて、所定の画像形成手段を用いて画像形成を行った場合の色再現性を確認することができるため、使用者はより簡単にコストパフォーマンスの良い画像形成手段を選択することができる。
【００１５】
その理由は、画像データと印刷画像データとを画像形成手段に依存しない共通の色空間のデータに変換して色差を算出し、算出した色差を画面上に表示するからである。
【発明を実施するための最良の形態】
【００１６】
背景技術で示したように、先行技術では所定の色域に収まるように画像の色再現方法や彩度強調方法を変更する方法を提案しているが、これらは印刷対象となる画像データに対する処理であり、画像形成後の印刷画像データの色再現域を考慮していないため、画像処理の色域が画像形成装置の色再現域に収まるかどうかを判断することはできない。そのため、画像データに最適な画像形成手段を選択することが難しいという問題があった。
【００１７】
そこで、本発明では、印刷対象となる画像データを画像形成手段に依存しない所定の色空間のデータ（例えば、画像データLab）に変換すると共に、画像形成後の印刷画像データも上記所定の色空間のデータ（例えば、印刷画像データL'a'b'）に変換してその色差ΔＥを算出し、算出した色差を画面上に表示して色再現性を確認できるようにする。
【００１８】
なお、本発明では、画像形成装置の違いによる色再現性の違いだけでなく、画像処理方法による色再現性の違いも表示することができるため、トナーの違いに限らず、画像処理方法、画像形成装置等の組合せで変化する画像データの色再現性が確認可能となる。そのため、様々な画像形成手段の中から、使用者が目的に応じてより最適な画像形成手段を選択することができる。
【実施例】
【００１９】
上記した本発明の一実施の形態についてさらに詳細に説明すべく、本発明の一実施例に係る画像形成装置及び印刷支援方法並びに印刷支援プログラムについて、図１乃至図２０を参照して説明する。図１は、本実施例の印刷システムの構成を示す図であり、図２は、コンピュータ端末の構成、図３及び図４は、画像形成装置の構成を示す図である。また、図５乃至図１３は、画像形成装置の動作を示すフローチャート図であり、図１４乃至図２０は、画像形成装置の表示部に表示される画面の一例を示す図である。
【００２０】
図１に示すように、本実施例の印刷システムは、印刷ジョブを送受信する１又は複数のコンピュータ端末１０と、印刷ジョブを受信して印刷を実行する１又は複数の画像形成装置２０とで構成され、これらは、イーサネット（登録商標）、トークンリング、ＦＤＤＩ（Fiber-Distributed Data Interface）等の規格により定められるＬＡＮ（Local Area Network）やＷＡＮ（Wide Area Network）等の通信ネットワーク３０によって接続されている。
【００２１】
また、図２に示すように、コンピュータ端末１０は、制御部１１と、表示部１２と、操作部１３などで構成される。
【００２２】
制御部１１は、ＣＰＵ（Central Processing Unit）１１ａ、ＲＯＭ（Read Only Memory）、ＲＡＭ（Random Access Memory）などのメモリ１１ｂ、ＨＤＤ（Hard Disk Drive）１１ｃ、通信Ｉ／Ｆ部１１ｄなどを備え、これらはバスを介して接続されている。ＣＰＵ１１ａは、各部の制御を行う。メモリ１１ｂは、ＨＤＤ１１ｃ、通信Ｉ／Ｆ部１１ｄから読み込んだ種々のデータを一時的に記憶する部分であり、記憶されたデータはＣＰＵ１１ａによって処理され、必要に応じてＨＤＤ１１ｃや通信Ｉ／Ｆ部１１ｄに転送される。ＨＤＤ１１ｃは、ＣＰＵ１１ａが各部を制御するためのプログラム、自装置の処理機能に関する情報、印刷ジョブなどを格納し、ＣＰＵ１１ａにより必要に応じて読み出され、メモリ１１ｂ上で実行処理される。通信Ｉ／Ｆ部１１ｄは、通信ネットワーク３０を介して繋がっている機器との接続を確立し、データの送受信を実行する。
【００２３】
上記制御部１１は、文書を作成するためのアプリケーションや文書の印刷を指示するプリンタドライバとして機能し、アプリケーションで作成した文書データは、プリンタドライバにより、画像形成装置２０で読み取り可能な言語（ＰＣＬ（Printer Control Language）やＰＳ（Post Script）などのＰＤＬ（Page Description Language））の印刷ジョブに変換され、通信Ｉ／Ｆ部１１ｄを介して画像形成装置２０に送信される。
【００２４】
表示部１２は、液晶表示装置（ＬＣＤ：Liquid Crystal Display）や有機ＥＬ（electroluminescence）表示装置等からなり、画像形成装置２０へ送信する印刷ジョブを設定するためのプリンタドライバ画面やプロパティ画面等を表示する。
【００２５】
操作部１３は、表示部１２上に表示された情報を操作したり、情報を入力したりする部分であり、ポインティングデバイス、キーボード、トラックボール、トラックパッド、タブレット、及びスタイラスペンなどで構成される。
【００２６】
また、図３に示すように、画像形成装置２０は、制御部２１と、ＡＤＦ（Auto Document Feeder：自動原稿送り装置）２２と、画像読取部２３と、表示部２４と、操作部２５と、給紙部２６と、画像形成部２７と、後処理部２８などで構成される。
【００２７】
制御部２１は、各構成部を制御する部分で、ＣＰＵ２１ａ、ＲＯＭやＲＡＭなどのメモリ２１ｂ、ＨＤＤ２１ｃ、通信Ｉ／Ｆ部２１ｄなどを備え、これらはバスを介して接続されている。ＣＰＵ２１ａは各部の制御などを行う。メモリ２１ｂは、ＨＤＤ２１ｃ、画像読取部２３、通信Ｉ／Ｆ部２１ｄから読み込んだ種々のデータを一時的に記憶する部分で、記憶されたデータはＣＰＵ２１ａによって画像処理され、必要に応じてＨＤＤ２１ｃや画像形成部２７に転送される。ＨＤＤ２１ｃは、ＣＰＵ２１ａが各部を制御するためのプログラム、自装置の処理機能に関する情報、画像データを印刷可能なデータ（以下、印刷画像データと呼ぶ。）に変換するためのテーブル、画像データ及び印刷画像データを所定の色空間のデータに変換するためのテーブル、後述するＩＣＣ（International Color Consortium）プロファイルなどを格納し、ＣＰＵ２１ａにより必要に応じて読み出され、メモリ２１ｂ上で実行処理される。通信Ｉ／Ｆ部２１ｄは、通信ネットワーク３０を介して繋がっている機器との接続を確立し、データの送受信を実行する。
【００２８】
上記制御部２１は、印刷ジョブの各ページをラスタライズしてページ毎の画像データを生成し、必要に応じて画像処理やスクリーニングを行った後、画像形成部２７で印刷可能な印刷画像データに変換する画像処理部としても機能する。
【００２９】
また、制御部２１は、印刷対象となる画像データを装置に依存しない所定の色空間のデータ（例えば、画像データLab）に変換すると共に、画像データを印刷画像データ（例えば、印刷画像データC'M'Y'K'）に変換した後、印刷画像データを上記所定の色空間のデータ（例えば、印刷画像データL'a'b'）に変換し、それらの色差ΔＥを算出し、算出した色差を所定の画面（後述するサムネイル表示画面や詳細表示画面、色空間表示画面など）に表示して色再現性を確認するための情報を提供する印刷支援部としても機能する。この印刷支援部はハードウェアとして構成してもよいし、コンピュータを印刷支援部として機能させる印刷支援プログラムとして構成し、この印刷支援プログラムを制御部２１上で実行する構成としてもよい。
【００３０】
ＡＤＦ２２は、単数もしくは複数枚の原稿用紙を自動で画像読取部２３へ搬送する部分である。
【００３１】
画像読取部２３は、原稿台上の原稿用紙から画像データを光学的に読み取る部分であり、原稿を走査する光源と、原稿で反射された光を電気信号に変換するＣＣＤ（Charge Coupled Devices）等のイメージセンサと、電気信号をＡ／Ｄ変換するＡ／Ｄ変換器等により構成される。
【００３２】
表示部２４は、液晶表示装置や有機ＥＬ表示装置等からなり、画像形成装置２０を操作するための画面や色差を表示する画面等を表示する。また、操作部２５は、ボタンやスイッチ等からなり、各種設定や指示を行う。なお、表示部２４と操作部２５は別々の装置としても良いし、表示部２４上に、透明電極が格子状に配置された感圧式の操作部（タッチパネル）２５を設けた一体の装置としてもよく、タッチパネルの場合は、手指やタッチペン等で押下された力点のＸＹ座標を電圧値で検出し、検出された位置信号を操作信号として制御部２１に出力する。
【００３３】
給紙部２６は、各種サイズの用紙を格納する用紙トレイで構成される。また、格納された用紙を画像形成部２７へ送り出す部分を含む。
【００３４】
画像形成部２７は、電子写真方式や静電記録方式等の作像プロセスを利用した画像形成に必要な構成要素で構成され、画像読取部２３から読み込んだ画像データ、あるいは通信Ｉ／Ｆ部２１ｄを介して受け取った印刷ジョブに基づいて、指定された用紙に画像を形成し、後処理部２８に送り出す。
【００３５】
具体的には、画像形成部２７は、図４に示すように、書き込みユニットと感光体ユニットと転写ユニットと搬送ユニットなどで構成される。書き込みユニットは、レーザダイオードなどで構成され、画像処理部から入力された印刷画像データに基づいてレーザ光を照射して露光する。感光体ユニットは、感光体ドラム、現像器、帯電器、感光体クリーニング部などで構成され、感光体ドラム上に現像器から供給されたトナーの潜像を形成する。例えば、所定の色再現域を有する第１のトナー群（ここでは通常トナー）のイエロー(Y)、マゼンタ(M)、シアン(C)と、前記所定の色再現域とは異なる色再現域を有する第２のトナー群（ここではVividトナー）のイエロー(Y)、マゼンタ(M)、シアン(C)と、黒(K)の計７色のトナーに対応する７つの感光体ユニットを備える。転写ユニットは、１次転写ドラム、中間転写ベルト、ベルトクリーニング部、２次転写ローラ、ローラクリーニング部などで構成され、感光体ユニットで形成されたトナー像を中間転写体として機能する中間転写ベルトに転写した後、中間転写ベルト上に形成されたトナー像を用紙に転写する。定着ユニットは、定着器、定着器クリーニング部などで構成され、用紙に転写されたトナー像を定着させる。搬送ユニットは、給紙ローラ、レジストローラ、ループローラ、反転ローラ、排紙ローラなどで構成され、給紙部２７から所望の用紙を２次転写ローラに搬送し、定着後の用紙を後処理部２８に排出する。
【００３６】
後処理部２８は、画像形成部２７から搬送される用紙を、制御部２１からの指示により、パンチ・ステープル・製本などのユーザの希望するフィニッシング処理を加えて出力する。
【００３７】
なお、図１乃至図４は本実施例の一例であり、適宜変更可能である。例えば、画像形成装置２０の画像形成部２７に、色再現域の異なる２種類のトナー群を配置したが、色再現域の異なるトナー群を搭載した複数の画像形成装置２０を通信ネットワーク３０に接続してもよい。
【００３８】
また、本実施例では、画像形成装置２０で色差を算出して表示する構成とするが、コンピュータ端末１０の制御部１１で上記印刷支援プログラムを動作させ、通信ネットワーク３０を介して画像データ、画像形成装置２０及び変換テーブルを取得し、画像データ及び印刷画像データを同じ色空間のデータに変換して色差を算出し、算出した色差をコンピュータ端末１０の表示部１２に表示したり、画面データを他の装置に送信して当該他の装置の表示部に表示させてもよい。
【００３９】
また、図１では、印刷システムをコンピュータ端末１０と画像形成装置２０とで構成したが、画像データを印刷画像データに変換するＲＩＰ（Raster Image Processor）コントローラ等の制御装置を通信ネットワーク３０に接続してもよい。更に、この制御装置上で上記印刷支援プログラムを動作させ、画像データ及び印刷画像データを同じ色空間のデータに変換して色差を算出し、算出した色差を制御装置の表示部に表示したり、画面データを他の装置に送信して当該他の装置の表示部に表示させてもよい。
【００４０】
次に、上記構成の画像形成装置２０の全体動作について説明する。
【００４１】
コピーにおいては画像形成装置のＡＤＦ２２もしくは、画像読取部２３の原稿台に原稿用紙が置かれ、ユーザがコピースタートボタンを押下、またネットワークプリントにおいては画像形成装置の通信Ｉ／Ｆ部２１ｄを介して通信ネットワーク３０からプリントジョブを受信すると、画像形成装置２０は形成した画像を印刷出力すべく、指定された給紙部２６から給紙を行う。
【００４２】
なお、コピーにおいては画像読取部２３から読み取られた画像データ、またネットワークプリントにおいては通信Ｉ／Ｆ部２１ｄから受信したプリントジョブを総じて「印刷ジョブ」と呼ぶことにする。
【００４３】
この印刷ジョブは、印刷ジョブ情報と、例えばCMYKの４色からなる画像データとで構成される。印刷ジョブは、メモリ２１ｂに一時的に保持され、画像形成部２７で印刷用紙に画像形成可能な印刷画像データへメモリ２１ｂ上で変換処理される。印刷ジョブを印刷可能な印刷画像データへと変換するための各種プログラムはＨＤＤ２１ｃに格納されており、ＣＰＵ２１ａによって必要なプログラムが読み出される。
【００４４】
図５は、印刷ジョブの画像データと、画像データを印刷用紙に画像形成可能な形式に変更した印刷画像データを共通の色空間に統一した上で比較し、色再現性の違いを表示する流れを示す。なお、図５では色空間をLabに統一しているが、画像データと印刷画像データの色空間をデバイスインディペンドカラー（Device Independent Color：装置非依存色）に統一できればどのような色空間でもよい。
【００４５】
コンピュータ端末１０上の操作部１３から色再現性表示が指示された場合（Ｓ５０１：Ｙｅｓ）、画像形成装置２０の制御部２１（印刷支援プログラム）は、色再現性表示が指示された画像データと印刷画像データの色空間を以下の手順で統一する。
【００４６】
まず、画像データをLab（L:明るさ、ａ:緑〜赤、ｂ:青〜黄）で表される色空間上のデータ（画像データLabと呼ぶ。）に変換する（Ｓ５０２）。変換方法は図６に示す。
【００４７】
次に、画像データを印刷用紙に画像形成可能な形式に変更したデータ（印刷画像データC'M'Y'K'と呼ぶ。）に変換する（Ｓ５０３）。変換方法は図７に示す。
【００４８】
次に、印刷画像データC'M'Y'K'をデバイスディペンドカラーに変換する色変換テーブル（CMYK→Lab）を取得する（Ｓ５０４）。色変換テーブル（CMYK→Lab）は画像形成装置の出力条件毎にあらかじめ用意しておく必要があるが、印刷画像データを画像データと共通のデバイスインディペンドカラーに変換することができればどのような形式でもよい。図５の場合、色空間をLabに統一しているため印刷画像データC'M'Y'K'をLab値に変換するCMYK→Lab変換テーブルが必要となる。
【００４９】
次に、色変換テーブル（CMYK→Lab）を利用して印刷画像データC'M'Y'K'をLab値で表される色空間上のデータ（印刷画像データL'a'b'と呼ぶ。）に変換する（Ｓ５０５）。
【００５０】
次に、上記手順でデバイスインディペンドカラーに統一した画像データLabと印刷画像データL'a'b'の色差ΔＥを算出する（Ｓ５０６）。
【００５１】
そして、色差を基準に色再現性の違いを表示する（Ｓ５０７）。色再現表示のフローチャートは図８に示す。
【００５２】
なお、Vividトナーを搭載した画像形成装置と通常トナーを搭載した画像形成装置など、画像形成装置が異なる画像形成物の色再現性を比較する場合、制御部２１で他の画像形成装置の印刷画像データC'M'Y'K'や印刷画像データL'a'b'が算出できないケースが考えられる。その場合には、画像形成装置２０の通信Ｉ／Ｆ部２１ｄからコンピュータ端末１０の通信Ｉ／Ｆ部１１ｄを経由してコンピュータ端末１０が他の画像形成装置から取得した印刷画像データC'M'Y'Kや印刷画像データL'a'b'を取得してもよい。
【００５３】
また、本実施例では、色再現性の違いを表示する画面を画像形成装置２０の表示部２４に表示させる場合を示すが、当該画面をコンピュータ端末１０で利用できるようにしてもよい。
【００５４】
以下、個別の処理について詳述する。
【００５５】
［画像データ→画像データLabの変換］
図６は画像データをICC Profile（各デバイスの色に関する特性が記述されたデバイスプロファイル）を利用して画像データLabに変換する手順を示す。
【００５６】
入力された画像データ（Ｓ６０１）をICC Profileを利用して画像データLabに変換し（Ｓ６０２）、変換結果を返す（Ｓ６０３）。
【００５７】
このプロファイル変換は、画像データと印刷画像データの色空間をデバイスインディペンドカラーに統一する目的で行う。ここでは画像データを画像データLabに変換しているが、デバイスインディペンドカラーに統一できればどのような形式でもよい。
【００５８】
［画像データ→印刷画像データC'M'Y'K'の変換］
図７は画像データを画像処理方法に従って、印刷用紙に画像形成可能な印刷画像データC'M'Y'K'に変換する手順を示す。
【００５９】
入力された画像データ及び、画像処理方法（Ｓ７０１）に従って、画像形成処理を行う（Ｓ７０２）。次にICC Profileを利用して画像処理後のデータを印刷画像データC'M'Y'K'に変換（Ｓ７０３）し、変換結果を返す（Ｓ７０４）。
【００６０】
この処理は画像形成部２７で行うことを想定しているが、画像形成部２７で形成する印刷画像データと同じ出力結果が得られればどこで行ってもよく、例えば、ＲＩＰコントローラ等で行ってもよい。
【００６１】
［色再現性表示］
図８は色差を基準に色再現性の違いを表示する手順を示す。
【００６２】
色再現性表示が指示された場合、（Ｓ８０１：Ｙｅｓ）、元画像の表示に必要な画像データ（Ｓ８０２）、画像データLab（Ｓ８０３）を取得する。
【００６３】
次に、印刷画像データの表示に必要な印刷画像データC'M'Y'K'（Ｓ８０４）、印刷画像データL'a'b'（Ｓ８０５）、色再現性の違いの表示に必要な色差ΔＥ（Ｓ８０６）を取得する。そして、色再現性の表示件数（元画像との色再現性の違いを表示する画像形成手段のパターン数）に達するまで（Ｓ８０７）、Ｓ８０４〜８０６の処理を繰り返す。
【００６４】
色再現性の表示方法設定（Ｓ８０８）では、全ての表示で利用する色差ΔＥの分類方法とその表示方法、詳細表示の表示設定、拡大表示のデフォルトの座標設定等を行う。その具体例を以下に示す。
【００６５】
＜サムネイル表示（図１３、図１７）に必要な設定＞
【００６６】
・色差ΔＥの３パターンの図示方法設定例
パターン１：細かいドットのハッチングで表示
パターン２：縦線のハッチングで表示
パターン３：斜め格子状のハッチングで表示。
【００６７】
・色差ΔＥの３パターンの分類方法設定例（図１３の１件の色再現性表示の場合）
パターン１：ΔＥ  ３．６以下を表示
パターン２：ΔＥ  ３．７以上６．７以下を表示
パターン３：ΔＥ  ６．８以上を表示
なお、パターン２をΔＥ  ３．６超６．７以下、パターン３を６．７超とすれば全ての色差ΔＥを表示可能である。
【００６８】
・色差ΔＥの３パターンの分類方法設定例（図１７：２件の色再現性表示の場合）
パターン１：ΔＥ  デバイスＡ  ３．６以下、  デバイスＢ  ６．８以上を表示
パターン２：ΔＥ  デバイスＡ  ６．８以上、  デバイスＢ  ３．６以下を表示
パターン３：ΔＥ  デバイスＡ  ６．８以上、  デバイスＢ  ６．８以上を表示。
【００６９】
・サムネイル初期表示ＯＮ／ＯＦＦ設定例
パターン１〜パターン３はＯＦＦ（非表示）、画像はＯＮ（表示）。
【００７０】
＜詳細表示（図１４、１８）の表示に追加で必要な設定＞
【００７１】
・画像範囲指定例
ｘ座標：７００〜８００を表示
ｙ座標：１００〜１７５を表示。
【００７２】
・詳細初期表示ＯＮ／ＯＦＦ設定例
パターン１〜パターン２はＯＦＦ（非表示）、パターン３、画像範囲指定はＯＮ（表示）。
【００７３】
なお、拡大表示（図１５、１９）の表示は、上記の範囲指定設定を拡大範囲指定として表示しているが、拡大範囲を自動的に設定して表示してもよい。初期表示についてもサムネイルの初期表示と同じ設定で表示しているが、拡大表示用に設定可能にしてもよい。
【００７４】
＜色空間表示（図１６、２０）の表示に追加で必要な設定＞
【００７５】
・サムネイル初期表示ＯＮ／ＯＦＦ設定例
パターン１〜パターン２はＯＦＦ（非表示）、パターン３はＯＮ（表示）。
【００７６】
そして、表示方法設定（Ｓ８０８）後、サムネイル表示（Ｓ８０９）を行う。
【００７７】
［サムネイル表示］
図９は色再現性の違いをサムネイル表示する手順を示す。
【００７８】
サムネイル表示では、表示方法設定（Ｓ８０８）で設定した表示方法を取得（Ｓ９０１）する。そして分類方法設定に沿って色差ΔＥの３パターンが全体に占める割合を算出し、テキスト表示する（Ｓ９０２）。同様に色差ΔＥの３パターンのサムネイル情報を生成する（Ｓ９０３）。
【００７９】
次にサムネイル表示画面をクリア（Ｓ９０４）し、画面の初期化を行う。画像表示切替がＯＮの場合（Ｓ９０５：Ｙｅｓ）、サムネイル表示画面に画像を表示する（Ｓ９０６）。色差ΔＥの分類パターン分の表示が終わっていなければ（Ｓ９０７：Ｎｏ）、パターンｎの表示設定を確認し、表示切替がＯＮの場合（Ｓ９０８：Ｙｅｓ）、図示方法設定で指定された図示方法でサムネイル表示画面にパターンｎの色差を表示する（Ｓ９０９）。
【００８０】
表示切替ボタンが押下された場合（Ｓ９１０：Ｙｅｓ）、サムネイル表示画面クリア（Ｓ９０４）に戻る。拡大表示が選択された場合（Ｓ９１１：Ｙｅｓ）、拡大表示（Ｓ９１２）を行う。拡大表示のフローチャートは図１０に示す。詳細表示が選択された場合（Ｓ９１３：Ｙｅｓ）、詳細表示（Ｓ９１４）を行う。詳細表示のフローチャートは図１１に示す。色空間表示が選択された場合（Ｓ９１５：Ｙｅｓ）、色空間表示（Ｓ９１６）を行う。色空間表示のフローチャートは図１２に示す。表示終了が選択された場合（Ｓ９１７：Ｙｅｓ）、サムネイル表示を終了する。
【００８１】
［拡大表示］
図１０は色再現性の違いを拡大表示する手順を示す。
【００８２】
拡大表示では、表示方法設定（Ｓ８０８）で設定した表示方法を取得（Ｓ１００１）する。そして拡大表示する範囲を取得（Ｓ１００２）し、その範囲の色差ΔＥの３パターンの情報を生成する（Ｓ１００３）。
【００８３】
次に拡大表示画面をクリア（Ｓ１００４）し、画面の初期化を行う。画像表示切替がＯＮの場合（Ｓ１００５：Ｙｅｓ）、拡大表示画面に画像を表示する（Ｓ１００６）。色差ΔＥの分類パターン分の表示が終わっていなければ（Ｓ１００７：Ｎｏ）、パターンｎの表示設定を確認し、表示切替がＯＮの場合（Ｓ１００８：Ｙｅｓ）、図示方法設定で指定された図示方法で拡大表示画面にパターンｎの色差を表示する（Ｓ１００９）。
【００８４】
次に拡大表示画面内のカーソル位置情報を取得（Ｓ１０１０）する。そして、このカーソル位置のLab値や色差ΔＥをテキスト表示する。（Ｓ１０１１）。
【００８５】
表示切替ボタンが押下された場合（Ｓ１０１２：Ｙｅｓ）、拡大表示画面クリア（Ｓ１００４）に戻る。拡大図内のカーソル位置が変更された場合（Ｓ１０１３：Ｙｅｓ）も、拡大表示画面クリア（Ｓ１００４）に戻る。拡大範囲が変更された場合（Ｓ１０１４：Ｙｅｓ）、拡大表示範囲取得（Ｓ１００２）に戻る。表示終了が選択された場合（Ｓ１０１５：Ｙｅｓ）、拡大表示を終了する。
【００８６】
［詳細表示］
図１１は色再現性の違いを詳細表示する手順を示す。
【００８７】
詳細表示では、表示方法設定（Ｓ８０８）で設定した表示方法を取得（Ｓ１１０１）する。そして詳細表示する座標範囲を取得（Ｓ１１０２）する。そして、画像範囲全体の色差ΔＥの詳細表示情報を取得する（Ｓ１１０３）。
【００８８】
次に詳細表示画面をクリア（Ｓ１１０４）し、画面の初期化を行う。座標範囲指定表示切替がＯＮでない場合（Ｓ１１０５）：Ｎｏ）、取得した詳細表示情報（Ｓ１１０３）から座標範囲指定での設定範囲外の詳細情報を非表示とする（Ｓ１１０６）。色差ΔＥの分類パターン分の表示が終わっていなければ（Ｓ１１０７：Ｎｏ）、パターンｎの表示設定を確認し、表示切替がＯＮでない場合（Ｓ１１０８：Ｎｏ）、設定された分類パターンの詳細情報を非表示とする（Ｓ１１０９）。そして非表示分を除く詳細情報を表示する（Ｓ１１１０）。
【００８９】
座標範囲が変更された場合（Ｓ１１１１：Ｙｅｓ）、詳細表示画面クリア（Ｓ１１０４）に戻る。表示切替ボタンが押下された場合（Ｓ１１１２：Ｙｅｓ）、詳細表示画面クリア（Ｓ１１０４）に戻る。表示終了が選択された場合（Ｓ１１１３：Ｙｅｓ）、詳細表示を終了する。
【００９０】
［色空間表示］
図１２は色再現性の違いを色空間表示する手順を示す。
【００９１】
色空間表示では、表示方法設定（Ｓ８０８）で設定した表示方法を取得（Ｓ１２０１）する。そして色空間表示する画像形成装置の色空間を取得する（Ｓ１２０２）。表示する色差ΔＥの３パターン毎にLab値情報を取得する（Ｓ１２０３）。
【００９２】
次に色空間表示画面をクリア（Ｓ１２０４）し、画面の初期化を行う。画像形成装置の色空間を表示する（Ｓ１２０５）。色差ΔＥの分類パターン分の表示が終わっていなければ（Ｓ１２０６：Ｎｏ）、パターンｎの表示設定を確認し、表示切替がＯＮの場合（Ｓ１２０７：Ｙｅｓ）、図示方法設定で指定された図示方法で色空間表示画面にパターンｎのLab値の分布を表示する（Ｓ１２０８）。
【００９３】
表示切替ボタンが押下された場合（Ｓ１２０９：Ｙｅｓ）、色空間表示画面クリア（Ｓ１２０４）に戻る。表示終了が選択された場合（Ｓ１２１０：Ｙｅｓ）、拡大表示を終了する。
【００９４】
以下、上記フローによって表示される画面の具体的構成について説明する。
【００９５】
図１３〜１６は、画像データをある出力条件で画像形成する際の色再現性の表示例である。
【００９６】
図１３は色差の違いをサムネイル表示する画面であり、画面切替ボタンを押下することにより、画像又は各パターンが表示されるようになっている。（ａ）は画像のみ、（ｂ）はパターン１と３、（ｃ）はパターン３と画像、（ｄ）はパターン１〜３が表示された例であり、画像とパターンを任意に組み合わせて表示することにより、所望の色再現性が得られるかを容易に判断することができる。
【００９７】
図１４は図１３のサムネイル表示画面で「詳細」ボタンが押下された場合に表示される詳細表示画面であり、予め設定した座標における色差やLabが数値として表示されるようになっている。この画面で色差の違いを詳細に確認することによって、所望の色再現性が得られるかを確実に判断することができる。
【００９８】
図１５（ｂ）は図１５（ａ）のサムネイル表示画面で範囲を指定した場合に表示される拡大表示画面である。この画面で色差の違いを詳細に確認することによって、所望の色再現性が得られるかを確実に判断することができる。
【００９９】
図１６は図１３のサムネイル表示画面で「色空間」ボタンが押下された場合に表示される色空間表示画面（色空間は平面的に表示してもよいし立体的に表示してもよい。）であり、Labと画像形成装置の色空間とを比較することができる。この画面で色差の違いを詳細に確認することによっても、所望の色再現性が得られるかを確実に判断することができる。
【０１００】
また、複数の画像形成手段の色再現性を比較したい場合、画像形成手段毎に印刷画像データL'a'b'を求め、それぞれ画像データLabとの色差ΔＥを算出することで、複数の出力条件での色再現性を表示することができる。
【０１０１】
図１７〜２０は、複数の出力条件での画像形成物の色再現性の表示例である。
【０１０２】
図１７は色差の違いをサムネイル表示する画面であり、画面切替ボタンを押下することにより、画像や複数の画像形成手段のパターンが表示されるようになっている。この画面で色差の違いを画像形成手段毎に比較することによって、どの画像形成手段を選択すれば所望の色再現性が得られるかを容易に判断することができる。
【０１０３】
図１８は図１７のサムネイル表示画面で「詳細」ボタンが押下された場合に表示される詳細表示画面であり、予め設定した座標における複数の画像形成手段の色差やLabが数値として表示されるようになっている。この画面で色差の違いを画像形成手段毎に比較することによって、どの画像形成手段を選択すれば所望の色再現性が得られるかを確実に判断することができる。
【０１０４】
図１９（ｂ）〜（ｄ）は図１９（ａ）のサムネイル表示画面で範囲を指定した場合に表示される拡大表示画面であり、（ｂ）は複数の画像形成手段の色差を同時に表示する画面、（ｃ）、（ｄ）は各画像形成手段の色差を個別に表示する画面である。この画面で色差の違いを画像形成手段毎に比較することによって、どの画像形成手段を選択すれば所望の色再現性が得られるかを確実に判断することができる。
【０１０５】
図２０は図１７のサムネイル表示画面で「色空間」ボタンが押下された場合に表示される色空間表示画面（色空間は平面的に表示してもよいし立体的に表示してもよい。）であり、Labと複数の画像形成装置（若しくは複数種類のトナーを搭載している画像形成装置の場合は複数の画像形成手段）の色空間とを比較することができる。この画面で色差の違いを画像形成手段毎に比較することによっても、どの画像形成手段を選択すれば所望の色再現性が得られるかを確実に判断することができる。
【０１０６】
なお、色再現性に対する要求は画像データ毎に異なるため、ここで認識すべき色差の違いも画像データ毎に異なる。そのため、表示する色差はデフォルト設定だけでなく、ユーザ設定も可能とする。
【０１０７】
例えば、通常トナー搭載機器とVividトナー搭載機を比較する場合、認識したい色再現性の違いに応じて色差の設定を変更すればよい。ここでは、仮に再現できる色をΔＥ６．５未満、再現できない色をΔＥ６．５以上としている。
【０１０８】
１．通常トナー搭載機でもVividトナー搭載機でも再現できる色
通常トナー搭載機及び、Vividトナー搭載機のΔＥが６．５未満のものを表示する。
【０１０９】
２．Vividトナー搭載機でのみ再現できる色
通常トナー搭載機のΔＥが６．５以上、Vividトナー搭載機のΔＥが６．５未満のものを表示する。
【０１１０】
３．通常トナー搭載機で再現できるが、Vividトナー搭載機で再現できない色
通常トナー搭載機のΔＥが６．５未満、Vividトナー搭載機のΔＥが６．５以上のものを表示する。
【０１１１】
４．どちらでも再現できない色
通常トナー搭載機および、Vividトナー搭載機のΔＥが６．５以上のものを表示する。
【０１１２】
上記条件に、通常トナー搭載機とVividトナー搭載機のΔＥの差が一定値以上のものを対象とする等の設定を追加すると、より精度のよい色再現性が認識可能となる。
【０１１３】
このように、本実施例では、画像データを画像形成手段に依存しない色空間のデータ（例えば、画像データLab）に変換すると共に、印刷画像データを同じ色空間のデータ（例えば、印刷画像データL'a'b'）に変換し、それらの色差ΔＥを上記サムネイル表示画面や詳細表示画面、拡大表示画面、色空間表示画面などで表示し、色再現性の違いを認識できるようにしているため、使用者は画面で提供される情報を参照して、コストパフォーマンスの良い画像形成手段を容易に選択することができる。
【０１１４】
なお、本発明は上記実施例に限定されるものではなく、画像データと印刷画像データが同じ色空間で比較可能な限りにおいて適宜変更可能である。例えば、上記実施例では画像データLabと印刷画像データL'a'b'の色差を表示する構成としたが、他の色空間の色差を算出して表示してもよいし、色空間のデータそのものを対比可能に表示してもよい。
【産業上の利用可能性】
【０１１５】
本発明は、画像形成装置及び該画像形成装置を含む印刷システムに利用可能である。
【図面の簡単な説明】
【０１１６】
【図１】本発明の一実施例に係る印刷システムの構成例を示す図である。
【図２】本発明の一実施例に係るコンピュータ端末の構成を示すブロック図である。
【図３】本発明の一実施例に係る画像形成装置の構成を示す図であり、（ａ）は模式図、（ｂ）はブロック図である。
【図４】本発明の一実施例に係る画像形成装置の画像形成部の具体的構成を示す図である。
【図５】本発明の一実施例に係る画像形成装置の制御部の動作を示すフローチャート図である。
【図６】本発明の一実施例に係る画像形成装置における画像データを画像データLabに変換する手順を示すフローチャート図である。
【図７】本発明の一実施例に係る画像形成装置における画像データを印刷画像データC'M'Y'Kに変換する手順を示すフローチャート図である。
【図８】本発明の一実施例に係る画像形成装置における色再現表示の手順を示すフローチャート図である。
【図９】本発明の一実施例に係る画像形成装置におけるサムネイル表示の手順を示すフローチャート図である。
【図１０】本発明の一実施例に係る画像形成装置における拡大表示の手順を示すフローチャート図である。
【図１１】本発明の一実施例に係る画像形成装置における詳細表示の手順を示すフローチャート図である。
【図１２】本発明の一実施例に係る画像形成装置における色空間表示の手順を示すフローチャート図である。
【図１３】本発明の一実施例に係る画像形成装置の表示部に表示されるサムネイル表示画面の一例を示す図である。
【図１４】本発明の一実施例に係る画像形成装置の表示部に表示される詳細表示画面の一例を示す図である。
【図１５】本発明の一実施例に係る画像形成装置の表示部に表示されるサムネイル表示画面から拡大表示画面への遷移例を示す図である。
【図１６】本発明の一実施例に係る画像形成装置の表示部に表示される色空間表示画面の一例を示す図である。
【図１７】本発明の一実施例に係る画像形成装置の表示部に表示されるサムネイル表示画面の例（２種類のデバイスの場合）を示す図である。
【図１８】本発明の一実施例に係る画像形成装置の表示部に表示される詳細表示画面の例（２種類のデバイスの場合）を示す図である。
【図１９】本発明の一実施例に係る画像形成装置の表示部に表示されるサムネイル表示画面から拡大表示画面への遷移例（２種類のデバイスの場合）を示す図である。
【図２０】本発明の一実施例に係る画像形成装置の表示部に表示される色空間表示画面の例（２種類のデバイスの場合）を示す図である。
【符号の説明】
【０１１７】
１０  コンピュータ端末
１１  制御部
１１ａ  ＣＰＵ
１１ｂ  メモリ
１１ｃ  ＨＤＤ
１１ｄ  通信Ｉ／Ｆ部
１２  表示部
１３  操作部
２０  画像形成装置
２１  制御部
２１ａ  ＣＰＵ
２１ｂ  メモリ
２１ｃ  ＨＤＤ
２１ｄ  通信Ｉ／Ｆ部
２２  ＡＤＦ
２３  画像読取部
２４  表示部
２５  操作部
２６  給紙部
２７  画像形成部
２８  後処理部
３０  通信ネットワーク
【図１】
2010137467.tif 000003
【図２】
2010137467.tif 000004
【図３】
2010137467.tif 000005
【図４】
2010137467.tif 000006
【図５】
2010137467.tif 000007
【図６】
2010137467.tif 000008
【図７】
2010137467.tif 000009
【図８】
2010137467.tif 000010
【図９】
2010137467.tif 000011
【図１０】
2010137467.tif 000012
【図１１】
2010137467.tif 000013
【図１２】
2010137467.tif 000014
【図１３】
2010137467.tif 000015
【図１４】
2010137467.tif 000016
【図１５】
2010137467.tif 000017
【図１６】
2010137467.tif 000018
【図１７】
2010137467.tif 000019
【図１８】
2010137467.tif 000020
【図１９】
2010137467.tif 000021
【図２０】
2010137467.tif 000022